(57)【要約】    【課題】      移動局が１つの無線エリアから隣接の無線エリアに移動する時に、通信断が生じるのを防止すること。    【解決手段】複数の移動局１０１の各々は、自己の識別情報と接続基地局情報と移動方向情報を含む位置登録制御情報を統制局１０３に送信する。統制局１０３は、移動局１０１からの前記位置登録制御情報に基づいて当該移動局が現在位置している第１の無線エリアに隣接する当該移動局の移動方向側の第２の無線エリアに係る第２の前記基地局を検出して隣接基地局情報を生成する基地局検出部１０３１と、当該移動局に送信するパケットを前記第１の無線エリアに係る第１の基地局に送信するのと同時に前記隣接基地局情報に基づいて前記第２の基地局に送信するパケット同報部１０３３と、を具備する。  【選択図】      図１
2006109182.tif 000002
【特許請求の範囲】
【請求項１】
複数の移動局と、複数の移動局と通信を行う複数の基地局と、統制局と、前記複数の基地局と前記統制局との通信の制御を行う移動制御ネットワークと、前記統制局と通信を行う外部ネットワークと、を具備し、かつ、前記複数の移動局の各々が所定時間において所定方向へ移動するモバイル通信システムにおいて、
前記複数の移動局の各々は、
自己の識別情報と接続基地局情報と移動方向情報を含む位置登録制御情報を前記統制局に送信する位置登録制御情報送信手段を具備し、
前記統制局は、
前記移動局からの前記位置登録制御情報に基づいて当該移動局が現在位置している第１の無線エリアに隣接する当該移動局の移動方向側の第２の無線エリアに係る第２の前記基地局を検出して隣接基地局情報を生成する基地局検出手段と、
当該移動局に送信するパケットを前記第１の無線エリアに係る第１の基地局に送信するのと同時に前記隣接基地局情報に基づいて前記第２の前記基地局に送信するパケット同報手段と、
を具備することを特徴とするモバイル通信システム。
【請求項２】
複数の移動局と、複数の移動局と通信を行う複数の基地局と、統制局と、前記複数の基地局と前記統制局との通信の制御を行う移動制御ネットワークと、前記統制局と通信を行う外部ネットワークと、を具備し、かつ、前記複数の移動局の各々が所定時間において所定方向へ移動し、前記複数の移動局の各々は、自己の識別情報と接続基地局情報と移動方向情報を含む位置登録制御情報を前記統制局に送信する位置登録制御情報送信手段を具備するモバイル通信システムにおいて、
前記移動局からの前記位置登録制御情報に基づいて当該移動局が現在位置している第１の無線エリアに隣接する当該移動局の移動方向側の第２の無線エリアに係る第２の前記基地局を検出して隣接基地局情報を生成する基地局検出手段と、
当該移動局に送信するパケットを前記第１の無線エリアに係る第１の基地局に送信するのと同時に前記隣接基地局情報に基づいて前記第２の前記基地局に送信するパケット同報手段と、
を具備することを特徴とする統制局。
【請求項３】
複数の移動局と、複数の移動局と通信を行う複数の基地局と、統制局と、前記複数の基地局と前記統制局との通信の制御を行う移動制御ネットワークと、前記統制局と通信を行う外部ネットワークと、を具備し、かつ、前記複数の移動局の各々が所定時間において所定方向へ移動し、前記統制局は、前記移動局からの位置登録制御情報に基づいて当該移動局が現在位置している第１の無線エリアに隣接する当該移動局の移動方向側の第２の無線エリアに係る第２の前記基地局を検出して隣接基地局情報を生成する基地局検出手段と、当該移動局に送信するパケットを前記第１の無線エリアに係る第１の基地局に送信するのと同時に前記隣接基地局情報に基づいて前記第２の前記基地局に送信するパケット同報手段と、を具備するモバイル通信システムにおいて、
自己の識別情報と接続基地局情報と移動方向情報を含む前記位置登録制御情報を前記統制局に送信する位置登録制御情報送信手段を具備することを特徴とする移動局。
【請求項４】
複数の移動局と、複数の移動局と通信を行う複数の基地局と、統制局と、前記複数の基地局と前記統制局との通信の制御を行う移動制御ネットワークと、前記統制局と通信を行う外部ネットワークと、を具備し、かつ、前記複数の移動局の各々が所定時間において所定方向へ移動するモバイル通信システムにおいて、
前記複数の移動局の各々は、
自己の識別情報と接続基地局情報と移動方向情報を含む位置登録制御情報を前記統制局に送信する位置登録制御情報送信手段を具備し、
前記統制局は、
前記移動局からの前記位置登録制御情報に基づいて当該移動局が現在位置している第１の無線エリアに隣接する当該移動局の移動方向側の第２の無線エリアに係る第２の前記基地局を検出して隣接基地局情報を生成する基地局検出手段と、
前記移動局からの前記位置登録制御情報の前記接続基地局情報と当該前記接続基地局情報に対応する前記隣接基地局情報とを含む転送先基地局情報を保持する転送テーブルと、
当該移動局に送信するパケットを前記第１の無線エリアに係る第１の基地局に送信するのと同時に前記転送テーブルの前記転送先基地局情報に基づいて前記第２の前記基地局に送信するパケット同報手段と、
を具備することを特徴とするモバイル通信システム。
【請求項５】
複数の移動局と、複数の移動局と通信を行う複数の基地局と、統制局と、前記複数の基地局と前記統制局との通信の制御を行う移動制御ネットワークと、前記統制局と通信を行う外部ネットワークと、を具備し、かつ、前記複数の移動局の各々が所定時間において所定方向へ移動し、前記複数の移動局の各々は、自己の識別情報と接続基地局情報と移動方向情報を含む位置登録制御情報を前記統制局に送信する位置登録制御情報送信手段を具備するモバイル通信システムにおいて、
前記移動局からの前記位置登録制御情報に基づいて当該移動局が現在位置している第１の無線エリアに隣接する当該移動局の移動方向側の第２の無線エリアに係る第２の前記基地局を検出して隣接基地局情報を生成する基地局検出手段と、
前記移動局からの前記位置登録制御情報の前記接続基地局情報と当該前記接続基地局情報に対応する前記隣接基地局情報とを含む転送先基地局情報を保持する転送テーブルと、
当該移動局に送信するパケットを前記第１の無線エリアに係る第１の基地局に送信するのと同時に前記転送テーブルの前記転送先基地局情報に基づいて前記第２の前記基地局に送信するパケット同報手段と、
を具備することを特徴とする統制局。
【請求項６】
複数の移動局と、複数の移動局と通信を行う複数の基地局と、統制局と、前記複数の基地局と前記統制局との通信の制御を行う移動制御ネットワークと、前記統制局と通信を行う外部ネットワークと、を具備し、かつ、前記複数の移動局の各々が所定時間において所定方向へ移動し、前記統制局は、前記移動局からの位置登録制御情報に基づいて当該移動局が現在位置している第１の無線エリアに隣接する当該移動局の移動方向側の第２の無線エリアに係る第２の前記基地局を検出して隣接基地局情報を生成する基地局検出手段と、前記移動局からの前記位置登録制御情報の前記接続基地局情報と当該前記接続基地局情報に対応する前記隣接基地局情報とを含む転送先基地局情報を保持する転送テーブルと、当該移動局に送信するパケットを前記第１の無線エリアに係る第１の基地局に送信するのと同時に前記転送テーブルの前記転送先基地局情報に基づいて前記第２の前記基地局に送信するパケット同報手段と、を具備するモバイル通信システムにおいて、
自己の識別情報と接続基地局情報と移動方向情報を含む前記位置登録制御情報を前記統制局に送信する位置登録制御情報送信手段を具備することを特徴とする移動局。
【請求項７】
複数の移動局と、複数の移動局と通信を行う複数の基地局と、統制局と、前記複数の基地局と前記統制局との通信の制御を行う移動制御ネットワークと、前記統制局と通信を行う外部ネットワークと、を具備し、かつ、前記複数の移動局の各々が所定時間において所定方向へ移動するモバイル通信システムにおいて、
前記複数の移動局の各々は、
当該移動局の前部に配置され自己が位置する前記無線エリアを検知して１つの前記無線エリアから他の前記無線エリアに移動したことを検知した時に隣接エリア移動信号を生成する無線エリア検知手段と、
前記移動局の後部に配置され前記隣接エリア移動信号を受けた時に同報指示信号を生成して前記統制局に通知する同報指示信号通知手段と、
前記移動局の後部に配置され自己の識別情報と接続基地局情報と移動方向情報を含む位置登録制御情報を前記統制局に送信する位置登録制御情報送信手段と、を具備し、
前記統制局は、
前記移動局からの前記位置登録制御情報に基づいて当該移動局が現在位置している第１の無線エリアに隣接する当該移動局の移動方向側の第２の無線エリアに係る第２の前記基地局を検出して隣接基地局情報を生成する基地局検出手段と、
前記同報指示信号を受けた時点から前記無線エリア検知手段が位置する前記無線エリアに前記位置登録制御情報送信手段が移動する時点までの同報時間のみ前記位置登録制御情報送信手段が位置する前記無線エリアの前記基地局と前記無線エリア検知手段が位置する前記無線エリアの前記基地局に前記隣接基地局情報に基づいて同じパケットを送信するパケット同報手段と、
を具備することを特徴とするモバイル通信システム。
【請求項８】
複数の移動局と、複数の移動局と通信を行う複数の基地局と、統制局と、前記複数の基地局と前記統制局との通信の制御を行う移動制御ネットワークと、前記統制局と通信を行う外部ネットワークと、を具備し、かつ、前記複数の移動局の各々が所定時間において所定方向へ移動し、前記複数の移動局の各々は、当該移動局の前部に配置され自己が位置する前記無線エリアを検知して１つの前記無線エリアから他の前記無線エリアに移動したことを検知した時に隣接エリア移動信号を生成する無線エリア検知手段と、前記移動局の後部に配置され前記隣接エリア移動信号を受けた時に同報指示信号を生成して前記統制局に通知する同報指示信号通知手段と、前記移動局の後部に配置され自己の識別情報と接続基地局情報と移動方向情報を含む位置登録制御情報を前記統制局に送信する位置登録制御情報送信手段と、を具備するモバイル通信システムにおいて、
前記移動局からの前記位置登録制御情報に基づいて当該移動局が現在位置している第１の無線エリアに隣接する当該移動局の移動方向側の第２の無線エリアに係る第２の前記基地局を検出して隣接基地局情報を生成する基地局検出手段と、
前記同報指示信号を受けた時点から前記無線エリア検知手段が位置する前記無線エリアに前記位置登録制御情報送信手段が移動する時点までの同報時間のみ前記位置登録制御情報送信手段が位置する前記無線エリアの前記基地局と前記無線エリア検知手段が位置する前記無線エリアの前記基地局に前記隣接基地局情報に基づいて同じパケットを送信するパケット同報手段と、
を具備することを特徴とする統制局。
【請求項９】
複数の移動局と、複数の移動局と通信を行う複数の基地局と、統制局と、前記複数の基地局と前記統制局との通信の制御を行う移動制御ネットワークと、前記統制局と通信を行う外部ネットワークと、を具備し、かつ、前記複数の移動局の各々が所定時間において所定方向へ移動し、前記統制局は、前記移動局からの位置登録制御情報に基づいて当該移動局が現在位置している第１の無線エリアに隣接する当該移動局の移動方向側の第２の無線エリアに係る第２の前記基地局を検出して隣接基地局情報を生成する基地局検出手段と、同報指示信号を受けた時点から前記無線エリア検知手段が位置する前記無線エリアに前記位置登録制御情報送信手段が移動する時点までの同報時間のみ前記位置登録制御情報送信手段が位置する前記無線エリアの前記基地局と前記無線エリア検知手段が位置する前記無線エリアの前記基地局に前記隣接基地局情報に基づいて同じパケットを送信するパケット同報手段と、を具備するモバイル通信システムにおいて、
前記移動局の前部に配置され自己が位置する前記無線エリアを検知して１つの前記無線エリアから他の前記無線エリアに移動したことを検知した時に隣接エリア移動信号を生成する無線エリア検知手段と、
前記移動局の後部に配置され前記隣接エリア移動信号を受けた時に同報指示信号を生成して前記統制局に通知する同報指示信号通知手段と、
前記移動局の後部に配置され自己の識別情報と接続基地局情報と移動方向情報を含む前記位置登録制御情報を前記統制局に送信する位置登録制御情報送信手段と、を具備することを特徴とする移動局。
【請求項１０】
複数の移動局と、複数の移動局と通信を行う複数の基地局と、統制局と、前記複数の基地局と前記統制局との通信の制御を行う移動制御ネットワークと、前記統制局と通信を行う外部ネットワークと、を具備し、かつ、前記複数の移動局の各々が所定時間において所定方向へ移動するモバイル通信システムにおいて、
前記複数の移動局の各々は、
当該移動局の前部に配置され自己が位置する前記無線エリアを検知して１つの前記無線エリアから他の前記無線エリアに移動したことを検知した時に隣接エリア移動信号を生成する無線エリア検知手段と、
前記移動局の後部に配置され前記隣接エリア移動信号を受けた時に同報指示信号を生成して前記統制局に通知する同報指示信号通知手段と、
前記移動局の後部に配置され自己の識別情報と接続基地局情報と移動方向情報を含む位置登録制御情報を前記統制局に送信する位置登録制御情報送信手段と、を具備し、
前記統制局は、
前記移動局からの前記位置登録制御情報に基づいて当該移動局が現在位置している第１の無線エリアに隣接する当該移動局の移動方向側の第２の無線エリアに係る第２の前記基地局を検出して隣接基地局情報を生成する基地局検出手段と、
前記移動局からの前記位置登録制御情報の前記接続基地局情報と当該前記接続基地局情報に対応する前記隣接基地局情報とを含む転送先基地局情報を保持する転送テーブルと、
前記同報指示信号を受けた時点から前記無線エリア検知手段が位置する前記無線エリアに前記位置登録制御情報送信手段が移動する時点までの同報時間のみ前記位置登録制御情報送信手段が位置する前記無線エリアの前記基地局と前記無線エリア検知手段が位置する前記無線エリアの前記基地局に前記転送テーブルの前記転送先基地局情報に基づいて同じパケットを送信するパケット同報手段と、
を具備することを特徴とするモバイル通信システム。
【請求項１１】
複数の移動局と、複数の移動局と通信を行う複数の基地局と、統制局と、前記複数の基地局と前記統制局との通信の制御を行う移動制御ネットワークと、前記統制局と通信を行う外部ネットワークと、を具備し、かつ、前記複数の移動局の各々が所定時間において所定方向へ移動し、前記複数の移動局の各々は、当該移動局の前部に配置され自己が位置する前記無線エリアを検知して１つの前記無線エリアから他の前記無線エリアに移動したことを検知した時に隣接エリア移動信号を生成する無線エリア検知手段と、前記移動局の後部に配置され前記隣接エリア移動信号を受けた時に同報指示信号を生成して前記統制局に通知する同報指示信号通知手段と、前記移動局の後部に配置され自己の識別情報と接続基地局情報と移動方向情報を含む位置登録制御情報を前記統制局に送信する位置登録制御情報送信手段と、を具備するモバイル通信システムにおいて、
前記移動局からの前記位置登録制御情報に基づいて当該移動局が現在位置している第１の無線エリアに隣接する当該移動局の移動方向側の第２の無線エリアに係る第２の前記基地局を検出して隣接基地局情報を生成する基地局検出手段と、
前記移動局からの前記位置登録制御情報の前記接続基地局情報と当該前記接続基地局情報に対応する前記隣接基地局情報とを含む転送先基地局情報を保持する転送テーブルと、
前記同報指示信号を受けた時点から前記無線エリア検知手段が位置する前記無線エリアに前記位置登録制御情報送信手段が移動する時点までの同報時間のみ前記位置登録制御情報送信手段が位置する前記無線エリアの前記基地局と前記無線エリア検知手段が位置する前記無線エリアの前記基地局に前記転送テーブルの前記転送先基地局情報に基づいて同じパケットを送信するパケット同報手段と、
を具備することを特徴とする統制局。
【請求項１２】
複数の移動局と、複数の移動局と通信を行う複数の基地局と、統制局と、前記複数の基地局と前記統制局との通信の制御を行う移動制御ネットワークと、前記統制局と通信を行う外部ネットワークと、を具備し、かつ、前記複数の移動局の各々が所定時間において所定方向へ移動し、前記統制局は、前記移動局からの位置登録制御情報に基づいて当該移動局が現在位置している第１の無線エリアに隣接する当該移動局の移動方向側の第２の無線エリアに係る第２の前記基地局を検出して隣接基地局情報を生成する基地局検出手段と、前記移動局からの前記位置登録制御情報の前記接続基地局情報と当該前記接続基地局情報に対応する前記隣接基地局情報とを含む転送先基地局情報を保持する転送テーブルと、同報指示信号を受けた時点から前記無線エリア検知手段が位置する前記無線エリアに前記位置登録制御情報送信手段が移動する時点までの同報時間のみ前記位置登録制御情報送信手段が位置する前記無線エリアの前記基地局と前記無線エリア検知手段が位置する前記無線エリアの前記基地局に前記転送テーブルの前記転送先基地局情報に基づいて同じパケットを送信するパケット同報手段と、を具備するモバイル通信システムにおいて、
前記移動局の前部に配置され自己が位置する前記無線エリアを検知して１つの前記無線エリアから他の前記無線エリアに移動したことを検知した時に隣接エリア移動信号を生成する無線エリア検知手段と、
前記移動局の後部に配置され前記隣接エリア移動信号を受けた時に前記同報指示信号を生成して前記統制局に通知する同報指示信号通知手段と、
前記移動局の後部に配置され自己の識別情報と接続基地局情報と移動方向情報を含む前記位置登録制御情報を前記統制局に送信する位置登録制御情報送信手段と、を具備することを特徴とする移動局。
【発明の詳細な説明】
【技術分野】
【０００１】
本発明は、移動局が無線でネットワークに接続して通信を行うモバイル通信システムに関する。
【背景技術】
【０００２】
従来のモバイル通信システムとして、特許文献１に記載されたものがある。この特許文献１に記載されたモバイル通信システムは、無線基地局がエージェント装置から送信されたエージェント広告を記録しておくことによって、移動端末装置（移動局）が接続してきた時には、無線基地局が、直ちにエージェント広告を送信するものである。
【０００３】
また、従来のモバイル通信システムとして、図２６に示されたものがある。図２６に示すように、従来のモバイル通信システム１０は、複数の移動局１１と、複数の移動局１１と通信を行う複数の基地局１２Ａ〜１２Ｄと、統制局１３と、複数の基地局１２Ａ〜１２Ｄと統制局１３との通信を行う移動制御ネットワーク１４と、統制局１３と通信を行う外部ネットワーク１５と、を具備している。
【０００４】
移動局１１が所定時間において所定方向へ移動するものである。複数の基地局１２Ａ〜１２Ｄの各々は、無線エリアＡ〜Ｄを形成している。
【０００５】
図２６において、移動局１１は、無線エリアＢに属している。移動局１１は、統制局１３、経路１４Ｂ及び基地局１２Ｂを経由して外部ネットワーク１５とＩＰ通信を行っている。移動局１１は、無線エリアＡ、無線エリアＢ、無線エリアＣ及び無線エリアＤの順に移動する。移動局１１は、無線エリアＡから無線エリアＣへの移動は物理的にできないものとする。ここで、移動局１１は、ＩＰ通信を継続しながら、無線エリアＢから無線エリアＣに移動する。
【０００６】
無線エリアＣに移動した移動局１１は、無線エリアＣに移動したことを無線エリアＣからのビーコン信号及び基地局１２Ｃからの広告パケット受信などにより検知する。また、無線エリアＣへの移動を検知した移動局１１は、位置情報パケットを統制局１３に転送する。
【０００７】
次に、移動局１１からの位置情報パケットを受信した統制局１３は、移動局１１宛のパケットの転送先を、経路１４Ｂから経路１４Ｃへ切り替える。次に、統制局１３が移動局１１宛のパケットの転送先を、経路１４Ｂから経路１４Ｃへ切り替えた後に、移動局１１は、無線エリアＣにて外部ネットワーク１５からのパケットを受信可能となる。
【特許文献１】特許第３４４６８３２号公報
【発明の開示】
【発明が解決しようとする課題】
【０００８】
しかしながら、従来のモバイル通信システムにおいては、移動局が１つの無線エリアから隣接の無線エリアに移動する時に、通信断が生じるという問題がある。
【０００９】
本発明は、移動局が１つの無線エリアから隣接の無線エリアに移動する時に、通信断が生じるのを防止することができるモバイル通信システム、統制局及び移動局を提供することを目的とする。
【課題を解決するための手段】
【００１０】
本発明の第１のものに係るモバイル通信システムは、複数の移動局と、複数の移動局と通信を行う複数の基地局と、統制局と、前記複数の基地局と前記統制局との通信の制御を行う移動制御ネットワークと、前記統制局と通信を行う外部ネットワークと、を具備し、かつ、前記複数の移動局の各々が所定時間において所定方向へ移動するモバイル通信システムにおいて、前記複数の移動局の各々は、自己の識別情報と接続基地局情報と移動方向情報を含む位置登録制御情報を前記統制局に送信する位置登録制御情報送信手段を具備し、前記統制局は、前記移動局からの前記位置登録制御情報に基づいて当該移動局が現在位置している第１の無線エリアに隣接する当該移動局の移動方向側の第２の無線エリアに係る第２の前記基地局を検出して隣接基地局情報を生成する基地局検出手段と、当該移動局に送信するパケットを前記第１の無線エリアに係る第１の基地局に送信するのと同時に前記隣接基地局情報に基づいて前記第２の前記基地局に送信するパケット同報手段と、を具備する構成を採る。
【００１１】
本発明の第２のものに係る統制局は、複数の移動局と、複数の移動局と通信を行う複数の基地局と、統制局と、前記複数の基地局と前記統制局との通信の制御を行う移動制御ネットワークと、前記統制局と通信を行う外部ネットワークと、を具備し、かつ、前記複数の移動局の各々が所定時間において所定方向へ移動し、前記複数の移動局の各々は、自己の識別情報と接続基地局情報と移動方向情報を含む位置登録制御情報を前記統制局に送信する位置登録制御情報送信手段を具備するモバイル通信システムにおいて、前記移動局からの前記位置登録制御情報に基づいて当該移動局が現在位置している第１の無線エリアに隣接する当該移動局の移動方向側の第２の無線エリアに係る第２の前記基地局を検出して隣接基地局情報を生成する基地局検出手段と、当該移動局に送信するパケットを前記第１の無線エリアに係る第１の基地局に送信するのと同時に前記隣接基地局情報に基づいて前記第２の前記基地局に送信するパケット同報手段と、を具備する構成を採る。
【００１２】
本発明の第３のものに係る移動局は、複数の移動局と、複数の移動局と通信を行う複数の基地局と、統制局と、前記複数の基地局と前記統制局との通信の制御を行う移動制御ネットワークと、前記統制局と通信を行う外部ネットワークと、を具備し、かつ、前記複数の移動局の各々が所定時間において所定方向へ移動し、前記統制局は、前記移動局からの位置登録制御情報に基づいて当該移動局が現在位置している第１の無線エリアに隣接する当該移動局の移動方向側の第２の無線エリアに係る第２の前記基地局を検出して隣接基地局情報を生成する基地局検出手段と、当該移動局に送信するパケットを前記第１の無線エリアに係る第１の基地局に送信するのと同時に前記隣接基地局情報に基づいて前記第２の前記基地局に送信するパケット同報手段と、を具備するモバイル通信システムにおいて、自己の識別情報と接続基地局情報と移動方向情報を含む前記位置登録制御情報を前記統制局に送信する位置登録制御情報送信手段を具備する構成を採る。
【００１３】
本発明の第４のものに係るモバイル通信システムは、複数の移動局と、複数の移動局と通信を行う複数の基地局と、統制局と、前記複数の基地局と前記統制局との通信の制御を行う移動制御ネットワークと、前記統制局と通信を行う外部ネットワークと、を具備し、かつ、前記複数の移動局の各々が所定時間において所定方向へ移動するモバイル通信システムにおいて、前記複数の移動局の各々は、自己の識別情報と接続基地局情報と移動方向情報を含む位置登録制御情報を前記統制局に送信する位置登録制御情報送信手段を具備し、前記統制局は、前記移動局からの前記位置登録制御情報に基づいて当該移動局が現在位置している第１の無線エリアに隣接する当該移動局の移動方向側の第２の無線エリアに係る第２の前記基地局を検出して隣接基地局情報を生成する基地局検出手段と、前記移動局からの前記位置登録制御情報の前記接続基地局情報と当該前記接続基地局情報に対応する前記隣接基地局情報とを含む転送先基地局情報を保持する転送テーブルと、当該移動局に送信するパケットを前記第１の無線エリアに係る第１の基地局に送信するのと同時に前記転送テーブルの前記転送先基地局情報に基づいて前記第２の前記基地局に送信するパケット同報手段と、を具備する構成を採る。
【００１４】
本発明の第５のものに係る統制局は、複数の移動局と、複数の移動局と通信を行う複数の基地局と、統制局と、前記複数の基地局と前記統制局との通信の制御を行う移動制御ネットワークと、前記統制局と通信を行う外部ネットワークと、を具備し、かつ、前記複数の移動局の各々が所定時間において所定方向へ移動し、前記複数の移動局の各々は、自己の識別情報と接続基地局情報と移動方向情報を含む位置登録制御情報を前記統制局に送信する位置登録制御情報送信手段を具備するモバイル通信システムにおいて、前記移動局からの前記位置登録制御情報に基づいて当該移動局が現在位置している第１の無線エリアに隣接する当該移動局の移動方向側の第２の無線エリアに係る第２の前記基地局を検出して隣接基地局情報を生成する基地局検出手段と、前記移動局からの前記位置登録制御情報の前記接続基地局情報と当該前記接続基地局情報に対応する前記隣接基地局情報とを含む転送先基地局情報を保持する転送テーブルと、当該移動局に送信するパケットを前記第１の無線エリアに係る第１の基地局に送信するのと同時に前記転送テーブルの前記転送先基地局情報に基づいて前記第２の前記基地局に送信するパケット同報手段と、を具備する構成を採る。
【００１５】
本発明の第６のものに係る移動局は、複数の移動局と、複数の移動局と通信を行う複数の基地局と、統制局と、前記複数の基地局と前記統制局との通信の制御を行う移動制御ネットワークと、前記統制局と通信を行う外部ネットワークと、を具備し、かつ、前記複数の移動局の各々が所定時間において所定方向へ移動し、前記統制局は、前記移動局からの位置登録制御情報に基づいて当該移動局が現在位置している第１の無線エリアに隣接する当該移動局の移動方向側の第２の無線エリアに係る第２の前記基地局を検出して隣接基地局情報を生成する基地局検出手段と、前記移動局からの前記位置登録制御情報の前記接続基地局情報と当該前記接続基地局情報に対応する前記隣接基地局情報とを含む転送先基地局情報を保持する転送テーブルと、当該移動局に送信するパケットを前記第１の無線エリアに係る第１の基地局に送信するのと同時に前記転送テーブルの前記転送先基地局情報に基づいて前記第２の前記基地局に送信するパケット同報手段と、を具備するモバイル通信システムにおいて、自己の識別情報と接続基地局情報と移動方向情報を含む前記位置登録制御情報を前記統制局に送信する位置登録制御情報送信手段を具備する構成を採る。
【００１６】
本発明の第７のものに係るモバイル通信システムは、複数の移動局と、複数の移動局と通信を行う複数の基地局と、統制局と、前記複数の基地局と前記統制局との通信の制御を行う移動制御ネットワークと、前記統制局と通信を行う外部ネットワークと、を具備し、かつ、前記複数の移動局の各々が所定時間において所定方向へ移動するモバイル通信システムにおいて、前記複数の移動局の各々は、当該移動局の前部に配置され自己が位置する前記無線エリアを検知して１つの前記無線エリアから他の前記無線エリアに移動したことを検知した時に隣接エリア移動信号を生成する無線エリア検知手段と、前記移動局の後部に配置され前記隣接エリア移動信号を受けた時に同報指示信号を生成して前記統制局に通知する同報指示信号通知手段と、前記移動局の後部に配置され自己の識別情報と接続基地局情報と移動方向情報を含む位置登録制御情報を前記統制局に送信する位置登録制御情報送信手段と、を具備し、前記統制局は、前記移動局からの前記位置登録制御情報に基づいて当該移動局が現在位置している第１の無線エリアに隣接する当該移動局の移動方向側の第２の無線エリアに係る第２の前記基地局を検出して隣接基地局情報を生成する基地局検出手段と、前記同報指示信号を受けた時点から前記無線エリア検知手段が位置する前記無線エリアに前記位置登録制御情報送信手段が移動する時点までの同報時間のみ前記位置登録制御情報送信手段が位置する前記無線エリアの前記基地局と前記無線エリア検知手段が位置する前記無線エリアの前記基地局に前記隣接基地局情報に基づいて同じパケットを送信するパケット同報手段と、を具備する構成を採る。
【００１７】
本発明の第８のものに係る統制局は、複数の移動局と、複数の移動局と通信を行う複数の基地局と、統制局と、前記複数の基地局と前記統制局との通信の制御を行う移動制御ネットワークと、前記統制局と通信を行う外部ネットワークと、を具備し、かつ、前記複数の移動局の各々が所定時間において所定方向へ移動し、前記複数の移動局の各々は、当該移動局の前部に配置され自己が位置する前記無線エリアを検知して１つの前記無線エリアから他の前記無線エリアに移動したことを検知した時に隣接エリア移動信号を生成する無線エリア検知手段と、前記移動局の後部に配置され前記隣接エリア移動信号を受けた時に同報指示信号を生成して前記統制局に通知する同報指示信号通知手段と、前記移動局の後部に配置され自己の識別情報と接続基地局情報と移動方向情報を含む位置登録制御情報を前記統制局に送信する位置登録制御情報送信手段と、を具備するモバイル通信システムにおいて、前記移動局からの前記位置登録制御情報に基づいて当該移動局が現在位置している第１の無線エリアに隣接する当該移動局の移動方向側の第２の無線エリアに係る第２の前記基地局を検出して隣接基地局情報を生成する基地局検出手段と、前記同報指示信号を受けた時点から前記無線エリア検知手段が位置する前記無線エリアに前記位置登録制御情報送信手段が移動する時点までの同報時間のみ前記位置登録制御情報送信手段が位置する前記無線エリアの前記基地局と前記無線エリア検知手段が位置する前記無線エリアの前記基地局に前記隣接基地局情報に基づいて同じパケットを送信するパケット同報手段と、を具備する構成を採る。
【００１８】
本発明の第９のものに係る移動局は、複数の移動局と、複数の移動局と通信を行う複数の基地局と、統制局と、前記複数の基地局と前記統制局との通信の制御を行う移動制御ネットワークと、前記統制局と通信を行う外部ネットワークと、を具備し、かつ、前記複数の移動局の各々が所定時間において所定方向へ移動し、前記統制局は、前記移動局からの位置登録制御情報に基づいて当該移動局が現在位置している第１の無線エリアに隣接する当該移動局の移動方向側の第２の無線エリアに係る第２の前記基地局を検出して隣接基地局情報を生成する基地局検出手段と、同報指示信号を受けた時点から前記無線エリア検知手段が位置する前記無線エリアに前記位置登録制御情報送信手段が移動する時点までの同報時間のみ前記位置登録制御情報送信手段が位置する前記無線エリアの前記基地局と前記無線エリア検知手段が位置する前記無線エリアの前記基地局に前記隣接基地局情報に基づいて同じパケットを送信するパケット同報手段と、を具備するモバイル通信システムにおいて、前記移動局の前部に配置され自己が位置する前記無線エリアを検知して１つの前記無線エリアから他の前記無線エリアに移動したことを検知した時に隣接エリア移動信号を生成する無線エリア検知手段と、前記移動局の後部に配置され前記隣接エリア移動信号を受けた時に同報指示信号を生成して前記統制局に通知する同報指示信号通知手段と、前記移動局の後部に配置され自己の識別情報と接続基地局情報と移動方向情報を含む前記位置登録制御情報を前記統制局に送信する位置登録制御情報送信手段と、を具備する構成を採る。
【００１９】
本発明の第１０のものに係るモバイル通信システムは、複数の移動局と、複数の移動局と通信を行う複数の基地局と、統制局と、前記複数の基地局と前記統制局との通信の制御を行う移動制御ネットワークと、前記統制局と通信を行う外部ネットワークと、を具備し、かつ、前記複数の移動局の各々が所定時間において所定方向へ移動するモバイル通信システムにおいて、前記複数の移動局の各々は、当該移動局の前部に配置され自己が位置する前記無線エリアを検知して１つの前記無線エリアから他の前記無線エリアに移動したことを検知した時に隣接エリア移動信号を生成する無線エリア検知手段と、前記移動局の後部に配置され前記隣接エリア移動信号を受けた時に同報指示信号を生成して前記統制局に通知する同報指示信号通知手段と、前記移動局の後部に配置され自己の識別情報と接続基地局情報と移動方向情報を含む位置登録制御情報を前記統制局に送信する位置登録制御情報送信手段と、を具備し、前記統制局は、前記移動局からの前記位置登録制御情報に基づいて当該移動局が現在位置している第１の無線エリアに隣接する当該移動局の移動方向側の第２の無線エリアに係る第２の前記基地局を検出して隣接基地局情報を生成する基地局検出手段と、前記移動局からの前記位置登録制御情報の前記接続基地局情報と当該前記接続基地局情報に対応する前記隣接基地局情報とを含む転送先基地局情報を保持する転送テーブルと、前記同報指示信号を受けた時点から前記無線エリア検知手段が位置する前記無線エリアに前記位置登録制御情報送信手段が移動する時点までの同報時間のみ前記位置登録制御情報送信手段が位置する前記無線エリアの前記基地局と前記無線エリア検知手段が位置する前記無線エリアの前記基地局に前記転送テーブルの前記転送先基地局情報に基づいて同じパケットを送信するパケット同報手段と、を具備する構成を採る。
【００２０】
本発明の第１１のものに係る統制局は、複数の移動局と、複数の移動局と通信を行う複数の基地局と、統制局と、前記複数の基地局と前記統制局との通信の制御を行う移動制御ネットワークと、前記統制局と通信を行う外部ネットワークと、を具備し、かつ、前記複数の移動局の各々が所定時間において所定方向へ移動し、前記複数の移動局の各々は、当該移動局の前部に配置され自己が位置する前記無線エリアを検知して１つの前記無線エリアから他の前記無線エリアに移動したことを検知した時に隣接エリア移動信号を生成する無線エリア検知手段と、前記移動局の後部に配置され前記隣接エリア移動信号を受けた時に同報指示信号を生成して前記統制局に通知する同報指示信号通知手段と、前記移動局の後部に配置され自己の識別情報と接続基地局情報と移動方向情報を含む位置登録制御情報を前記統制局に送信する位置登録制御情報送信手段と、を具備するモバイル通信システムにおいて、前記移動局からの前記位置登録制御情報に基づいて当該移動局が現在位置している第１の無線エリアに隣接する当該移動局の移動方向側の第２の無線エリアに係る第２の前記基地局を検出して隣接基地局情報を生成する基地局検出手段と、前記移動局からの前記位置登録制御情報の前記接続基地局情報と当該前記接続基地局情報に対応する前記隣接基地局情報とを含む転送先基地局情報を保持する転送テーブルと、前記同報指示信号を受けた時点から前記無線エリア検知手段が位置する前記無線エリアに前記位置登録制御情報送信手段が移動する時点までの同報時間のみ前記位置登録制御情報送信手段が位置する前記無線エリアの前記基地局と前記無線エリア検知手段が位置する前記無線エリアの前記基地局に前記転送テーブルの前記転送先基地局情報に基づいて同じパケットを送信するパケット同報手段と、を具備する構成を採る。
【００２１】
本発明の第１２のものに係る移動局は、複数の移動局と、複数の移動局と通信を行う複数の基地局と、統制局と、前記複数の基地局と前記統制局との通信の制御を行う移動制御ネットワークと、前記統制局と通信を行う外部ネットワークと、を具備し、かつ、前記複数の移動局の各々が所定時間において所定方向へ移動し、前記統制局は、前記移動局からの位置登録制御情報に基づいて当該移動局が現在位置している第１の無線エリアに隣接する当該移動局の移動方向側の第２の無線エリアに係る第２の前記基地局を検出して隣接基地局情報を生成する基地局検出手段と、前記移動局からの前記位置登録制御情報の前記接続基地局情報と当該前記接続基地局情報に対応する前記隣接基地局情報とを含む転送先基地局情報を保持する転送テーブルと、同報指示信号を受けた時点から前記無線エリア検知手段が位置する前記無線エリアに前記位置登録制御情報送信手段が移動する時点までの同報時間のみ前記位置登録制御情報送信手段が位置する前記無線エリアの前記基地局と前記無線エリア検知手段が位置する前記無線エリアの前記基地局に前記転送テーブルの前記転送先基地局情報に基づいて同じパケットを送信するパケット同報手段と、を具備するモバイル通信システムにおいて、前記移動局の前部に配置され自己が位置する前記無線エリアを検知して１つの前記無線エリアから他の前記無線エリアに移動したことを検知した時に隣接エリア移動信号を生成する無線エリア検知手段と、前記移動局の後部に配置され前記隣接エリア移動信号を受けた時に前記同報指示信号を生成して前記統制局に通知する同報指示信号通知手段と、前記移動局の後部に配置され自己の識別情報と接続基地局情報と移動方向情報を含む前記位置登録制御情報を前記統制局に送信する位置登録制御情報送信手段と、を具備する構成を採る。
【発明の効果】
【００２２】
本発明によれば、移動局からの位置登録制御情報に基づいて当該移動局が現在位置している第１の無線エリアに隣接する当該移動局の移動方向側の第２の無線エリアに係る第２の基地局を検出して隣接基地局情報を生成し、当該移動局に送信するパケットを前記第１の無線エリアに係る第１の基地局に送信するのと同時に前記隣接基地局情報に基づいて前記第２の前記基地局に送信するため、移動局が１つの無線エリアから隣接の無線エリアに移動する時に、通信断が生じるのを防止することができる。
【発明を実施するための最良の形態】
【００２３】
次に、本発明の実施の形態について、図面を参照して詳細に説明する。
【００２４】
（実施の形態１）
図１は、本発明の実施の形態１に係るモバイル通信システムの構成を示す図である。図１に示すように、本発明の実施の形態１に係るモバイル通信システム１００は、複数の移動局１０１と、複数の移動局１０１と通信を行う複数の基地局１０２Ａ〜１０２Ｄと、統制局１０３と、複数の基地局１０２Ａ〜１０２Ｄと統制局１０３との通信の制御を行う移動制御ネットワーク１０４と、統制局１０３と通信を行う外部ネットワーク１０５と、を具備している。
【００２５】
図１においては、１つの移動局１０１のみが示されている。また、複数の移動局１０１の各々は、所定の時間において所定方向へ移動するものである。複数の移動局１０１の各々は、データ通信部１０１１及び位置登録制御情報送信部１０１２を具備している。データ通信部１０１１は、複数の基地局１０２Ａ〜１０２Ｄ及び移動制御ネットワーク１０４を介して統制局１０３とデータの通信を行う。位置登録制御情報送信部１０１２は、自己の識別情報と接続基地局情報と移動方向情報を含む位置登録制御情報をデータ通信部１０１１を介して統制局１０３に送信する。
【００２６】
統制局１０３は、基地局検出部１０３１、転送テーブル１０３２及びパケット同報部１０３３を具備している。基地局検出部１０３１は、移動局１０１からの位置登録制御情報に基づいて当該移動局１０１が現在位置している第１の無線エリア（図１において無線エリアＢ）に隣接する当該移動局１０１の移動方向側の第２の無線エリア（図１において無線エリアＣ）に係る第２の基地局（図１において基地局１０２Ｃ）を検出して隣接基地局情報を生成して転送先基地局情報として転送テーブル１０３２に与える。
【００２７】
転送テーブル１０３２は、例えば、図１に示すように、宛先としての移動局情報の各々と、移動局情報の各々と対応している転送先基地局情報を具備している。転送先基地局情報は、複数の移動局１０１の各々から受信する位置登録制御情報の接続基地局情報から得られ、また、基地局検出部１０３１から受ける。
【００２８】
パケット同報部１０３３は、転送テーブル１０３２の転送先基地局情報に基づいて複数の複数の基地局１０２Ａ〜１０２Ｄの２つのものにパケットを送信する。例えば、パケット同報部１０３３は、移動局１０１に送信するパケットを前記第１の無線エリアに係る第１の基地局（図１において基地局１０２Ｂ）に経路１０４Ｂを介して送信するのと同時に隣接基地局情報に基づいて第２の前記基地局（図１において基地局１０２Ｃ）に経路１０４Ｃを介して送信する。
【００２９】
なお、基地局検出部１０３１は、移動局１０１からの位置登録制御情報に基づいて隣接基地局情報を生成して転送先基地局情報としてパケット同報部１０３３に与え、かつ、パケット同報部１０３３は、位置登録制御情報の隣接基地局情報及び転送先基地局情報に基づいて前記第１の基地局及び前記第２の基地局にパケットを送信するように構成してもよい。
【００３０】
このように、本発明の実施の形態１においては、移動局からの位置登録制御情報に基づいて当該移動局が現在位置している第１の無線エリアに隣接する当該移動局の移動方向側の第２の無線エリアに係る第２の基地局を検出して隣接基地局情報を生成し、当該移動局に送信するパケットを前記第１の無線エリアに係る第１の基地局に送信するのと同時に前記隣接基地局情報に基づいて前記第２の前記基地局に送信するため、移動局が１つの無線エリアから隣接の無線エリアに移動する時に、通信断が生じるのを防止することができる。
【００３１】
また、本発明の実施の形態１においては、移動局が無線信号から自分の位置を導出するため、物体センサなどの位置管理装置を無線エリアの境界付近に設置する必要がない。
【００３２】
（実施の形態２）
次に、本発明の実施の形態２について、図面を参照して詳細に説明する。
【００３３】
図２は、本発明の実施の形態２に係るモバイル通信システムの構成を示す図である。本発明の実施の形態２においては、本発明の実施の形態１と同じ構成要素には同じ参照符号が付されてその説明が省略される。
【００３４】
図２に示すように、本発明の実施の形態２に係るモバイル通信システム２００は、本発明の実施の形態１に係るモバイル通信システム１００において、移動制御ネットワーク１０４としてＥｏＭＰＬＳネットワーク２０１を具備している。
【００３５】
すなわち、本発明の実施の形態２に係るモバイル通信システム２００は、複数の移動局１０１と、複数の基地局１０２Ａ〜１０２Ｄと、統制局１０３と、複数の基地局１０２Ａ〜１０２Ｄと統制局１０３との通信の制御を行うＥｏＭＰＬＳネットワーク２０１と、統制局１０３と通信を行う外部ネットワーク１０５と、を具備している。
【００３６】
図２においては、１つの移動局１０１のみが示されている。また、複数の移動局１０１の各々は、所定の時間において所定方向へ移動するものである。複数の移動局１０１の各々は、データ通信部１０１１及び位置登録制御情報送信部１０１２を具備している。
【００３７】
統制局１０３は、基地局検出部１０３１、転送テーブル１０３２及びパケット同報部１０３３を具備している。基地局検出部１０３１は、移動局１０１からの位置登録制御情報に基づいて当該移動局１０１が現在位置している第１の無線エリア（図２において無線エリアＢ）に隣接する当該移動局１０１の移動方向側の第２の無線エリア（図２において無線エリアＣ）に係る第２の基地局（図２において基地局１０２Ｃ）を検出して隣接基地局情報を生成して転送先基地局情報として転送テーブル１０３２に与える。
【００３８】
転送テーブル１０３２は、例えば、図１に示すように、宛先としての移動局情報の各々と、移動局情報の各々と対応している転送先基地局情報を具備している。転送先基地局情報は、複数の移動局１０１の各々から受信する位置登録制御情報の接続基地局情報から得られ、また、基地局検出部１０３１から受ける。
【００３９】
パケット同報部１０３３は、転送テーブル１０３２の転送先基地局情報に基づいて複数の基地局１０２Ａ〜１０２Ｄの２つにパケットを送信する。例えば、パケット同報部１０３３は、移動局１０１に送信するパケットを前記第１の無線エリアに係る第１の基地局（図２において基地局１０２Ｂ）に経路２０１Ｂを介して送信するのと同時に隣接基地局情報に基づいて第２の前記基地局（図２において基地局１０２Ｃ）に経路２０１Ｃを介して送信する。
【００４０】
なお、基地局検出部１０３１は、移動局１０１からの位置登録制御情報に基づいて隣接基地局情報を生成して転送先基地局情報としてパケット同報部１０３３に与え、かつ、パケット同報部１０３３は、位置登録制御情報の隣接基地局情報及び転送先基地局情報に基づいて前記第１の基地局及び前記第２の基地局にパケットを送信するように構成してもよい。
【００４１】
本発明の実施の形態２に係るモバイル通信システム２００においては、次のような具体的な構成が採られる。
【００４２】
統制局１０３と基地局１０２Ａ〜１０２Ｄとしては、ＭＰＬＳパケットの送受信が可能なものが使用される。統制局１０３から基地局１０２Ａ〜１０２Ｄへのパケットの経路としては、ＭＰＬＳパスが使用される。基地局１０２Ａ〜１０２Ｄと移動局１０１との無線通信としては、ＩＥＥＥ８０２.１１プロトコルが使用される。基地局１０２Ａ〜１０２Ｄとしては、一般的なＥｏＭＰＬＳ対応装置が使用される。基地局１０２Ａ〜１０２Ｄは、ＭＰＬＳパスから送られてきたＥｔｈｅｒｎｅｔ（登録商標）パケットをＩＥＥＥ８０２.１１フレームに変換して無線エリアに送信する機能を有することが必要である。
【００４３】
ＭＰＬＳパスは、モバイル通信システムの運用前にあらかじめ構築されているものとする。移動局１０１のＭＡＣアドレスは、「ＭＡＣアドレスＡ」である。無線エリアＡから無線エリアＢ、無線エリアＣ及び無線エリアＤへと向かう移動方向は、「移動方向（＋）」とする。また、無線エリアＤから無線エリアＣ、無線エリア及び無線エリアＡへと向かう移動方向は、「移動方向（−）」とする。
【００４４】
統制局１０３は、パケット転送と移動局の位置管理を行う。統制局１０３は、モバイルＩＰにおけるホームエージェントの役割を担う。基地局１０２Ａ〜１０２Ｄは、無線のアクセスポイントとして、有線と無線との間でパケットの変換を行う。
【００４５】
移動局１０１は、列車のように一次元的な移動が可能な通信端末装置である。移動局１０１は、モバイルＩＰでは、モバイルノードの位置付けになる。外部ネットワーク１０５は、移動局１０１との通信相手になるＩＰ通信端末装置が属するネットワーク（例えば、インターネット又はイントラネット）で構成される。
【００４６】
ＥｏＭＰＬＳネットワーク２０１は、統制局１０３と基地局１０２Ａ〜１０２Ｄとを接続するネットワークであり、ＩＰ又はＭＰＬＳなど既存のプロトコルを用いて構築されている。無線エリアは、基地局１０２Ａ〜１０２Ｄが発する無線電波が届くエリアのことである。移動方向は、列車などのように、移動経路が予め決まっていること前提としている。通信は、ＩＰ通信で行われる。
【００４７】
本発明の実施の形態２におけるプロトコルスタックが図３に示されている。本発明の実施の形態２において、移動局１０１から統制局１０３へ送信される位置登録パケットの詳細が図４に示されている。本発明の実施の形態２では、ＵＤＰパケットを用いているが、図４における移動局１０１の識別情報（ＩＤ）、接続基地局情報及び移動方向情報を有する位置登録制御情報を含むパケットであればよく、通信プロトコルとは無関係である。
【００４８】
次に、本発明の実施の形態２に係るモバイル通信システム２００の統制局１０３の具体例について、図面を参照して詳細に説明する。
【００４９】
図５は、本発明の実施の形態２に係るモバイル通信システム２００の統制局１０３の構成を示すブロック図である。
【００５０】
図５に示すように、統制局１０３は、転送テーブル１０３２、基地局管理テーブル５０１、パケット受信部５０２、制御パケット抽出部５０３、制御パケット処理部５０４、パケット転送先判定部５０５及びパケット送信部５０６を具備している。
【００５１】
転送テーブル１０３２は、図６に示すように、宛先ＭＡＣアドレス及び当該宛先ＭＡＣアドレスに対応する転送先基地局の情報（ＭＰＬＳパスに対応するＭＰＬＳラベル値）を保持する。転送テーブル１０３２は、一つの宛先ＭＡＣアドレス（移動局）に対して、２つの転送先基地局の情報を保持する。
【００５２】
基地局管理テーブル５０１は、図７に示すように、基地局の識別情報ＩＤに対して、その基地局と統制局を結ぶ経路情報（ＭＰＬＳパスに対応するＭＰＬＳラベル値）を対応付けて保持する。
【００５３】
図７の基地局管理テーブル５０１の基地局ＩＤと実際の基地局とを対応付ける１例を図８に示す。移動局１０１が進む経路の始点に存在する基地局のＩＤが基地局ＩＤ（１）とされ、基地局ＩＤ（１）に隣接した基地局のＩＤが基地局ＩＤ（２）とされ、終点方向に向かって基地局ＩＤ（３）及び基地局ＩＤ（４）が設定される。ここでは、始点から終点に向かう移動方向が「＋」に設定され、終点から始点に向かう移動方向が「−」に設定される。
【００５４】
次に、本発明の実施の形態２に係るモバイル通信システム２００の統制局１０３の動作について、図５と共に図９〜図１１を参照して詳細に説明する。
【００５５】
まず、図９に示すように、ステップＳＴ９０１においてパケット受信部５０２はパケットを受信したかを判定する。ステップＳＴ９０１においてパケット受信部５０２がパケットを受信した時に、制御パケット抽出部５０３は制御パケットを抽出する（ステップＳＴ９０２）。
【００５６】
次に、ステップＳＴ９０３において制御パケット抽出部５０３は受信したパケットが制御パケットであるか否かを判定する。ステップＳＴ９０３において受信したパケットが制御パケットである時に、図１０のステップＳＴ１００１に行く。また、ステップＳＴ９０３において受信したパケットが制御パケットでない時に、図１１のステップＳＴ１１０１に行く。
【００５７】
ステップＳＴ９０３において受信したパケットが制御パケットである時に、図１０のステップＳＴ１００１において、制御パケット処理部５０４は位置登録制御情報を取得する。位置登録制御情報は、移動局の識別情報（ＩＤ）と接続基地局情報と移動方向情報を含むものである。
【００５８】
次に、ステップＳＴ１００２において、制御パケット処理部５０４は移動方向情報に基づいて移動局の移動方向が「＋」であるか否かを判定する。ステップＳＴ１００２において、移動方向情報に基づいて移動局の移動方向が「＋」である時に、ステップＳＴ１００３において制御パケット処理部５０４は基地局管理テーブル５０１の情報に基づいて転送先基地局ＩＤを導出してステップＳＴ１００５に行く。また、ステップＳＴ１００２において、移動方向情報に基づいて移動局の移動方向が「＋」でない時に、ステップＳＴ１００４において制御パケット処理部５０４は基地局管理テーブル５０１の情報に基づいて転送先基地局ＩＤを導出してステップＳＴ１００５に行く。
【００５９】
次に、ステップＳＴ１００５において制御パケット処理部５０４は、導出した移動局ＩＤに対する転送テーブル１０３２の転送先基地局のエントリを更新する。この時に、制御パケット処理部５０４は、導出した転送先基地局のＩＤに対する経路情報（ＭＰＬＳラベル）を基地局管理テーブル５０１より取得し、転送テーブルの制御パケットを送信した移動局に対するエントリに転送先基地局に対応する取得したＭＰＬＳラベル値を書き込む。
【００６０】
また、図９のステップＳＴ９０３において受信したパケットが制御パケットでない時に、図１１のステップＳＴ１１０１においてパケット転送先判定部５０５はパケットヘッダを解析して宛先ＭＡＣアドレスを取得する。次に、ステップＳＴ１１０２においてパケット転送先判定部５０５は取得した宛先ＭＡＣアドレスをキーにして転送テーブル１０３２を検索し、転送先経路に対するＭＰＬＳラベル値を取得する。
【００６１】
次に、ステップＳＴ１１０３において、パケット送信部５０６は、取得したＭＰＬＳラベル値に基づいて転送先経路に対するパケットを作成して送信する。
【００６２】
次に、本発明の実施の形態２に係るモバイル通信システム２００の移動局１０１の具体例について、図面を参照して詳細に説明する。
【００６３】
図１２は、本発明の実施の形態２に係るモバイル通信システム２００の移動局１０１の構成を示すブロック図である。
【００６４】
図１２に示すように、移動局１０１は、無線データ受信部１２０１、無線管理パケット抽出部１２０２、接続基地局管理部１２０３、無線管理パケット処理部１２０４、移動方向管理部１２０５、統制局情報管理部１２０６、位置情報パケット作成部１２０７、転送テーブル１２０８、パケット転送先判定部１２０９及び無線データ送信部１２１０を具備している。
【００６５】
無線データ受信部１２０１は、無線で送られてくるパケットを受信して無線管理パケット抽出部１２０２に与える。無線管理パケット抽出部１２０２は、無線データ受信部１２０１からのパケットから無線管理パケットを抽出して無線管理パケット処理部１２０４に与える。
【００６６】
接続基地局管理部１２０３は、移動局が現在接続している無線基地局の情報（ＥＳＳ−ＩＤなど）を記憶する。無線管理パケット処理部１２０４は、接続基地局管理部１２０３の情報に基づいて無線管理パケットを後述のように処理して位置情報パケット作成部１２０７に与える。
【００６７】
移動方向管理部１２０５は、移動局１０１の移動方向情報を記憶する。統制局情報管理部１２０６は、統制局１０３の通信情報（ＩＰアドレス、ＭＡＣアドレス）を保持する。位置情報パケット作成部１２０７は、統制局情報管理部１２０６の情報を基に位置情報パケットを作成する。
【００６８】
転送テーブル１２０８は、パケットの転送先経路の情報を保持している。位置情報パケット作成部１２０７は、位置情報パケットを転送テーブル１２０８に与えることにより転送テーブル１２０８の情報を更新する。
【００６９】
パケット転送先判定部１２０９は、転送テーブル１２０８の情報に基づいてパケットの転送先を判定して転送先判定結果を生成して無線データ送信部１２１０に与える。無線データ送信部１２１０は、パケット転送先判定部１２０９からの転送先判定結果に基づいてパケットを無線で送信する。
【００７０】
次に、本発明の実施の形態２に係るモバイル通信システム２００の移動局１０１における移動方向管理部１２０５について、図面を参照して説明する。
【００７１】
図１３は、本発明の実施の形態２に係るモバイル通信システム２００の移動局１０１における移動方向管理部１２０５の構成を示すブロック図である。
【００７２】
図１３に示すように、移動方向管理部１２０５は、移動方向検知部１３０１及び移動方向記憶部１３０２を具備している。
【００７３】
移動方向検知部１３０１は、移動局の移動方向情報（＋又は−）を検知するものである。移動方向検知部１３０１は、ＧＰＳセンサー又は移動局１０１を搭載した車両の車軸の回転方向を検知するセンサーなどで構成されている。移動方向記憶部１３０２は、移動方向検知部１３０１からの移動局１０１の移動方向情報を記憶する。
【００７４】
次に、本発明の実施の形態２に係るモバイル通信システム２００の移動局１０１の動作について、図１２、１３と共に図１４〜図２０を参照して詳細に説明する。
【００７５】
まず、本発明の実施の形態２に係るモバイル通信システム２００の移動局１０１における無線エリア切り替え時の処理について、図１２、１３と共に図１４、１５を参照して説明する。
【００７６】
図１４に示すように、ステップＳＴ１４０１において無線パケット受信部１２０１はパケットを受信したかを判定する。ステップＳＴ１２０１において無線パケット受信部１２０１がパケットを受信した時に、無線管理パケット抽出部１２０２は無線管理パケットを抽出する（ステップＳＴ１４０２）。
【００７７】
次に、ステップＳＴ１４０３において無線管理パケット抽出部１２０２は受信したパケットが無線管理パケットであるか否かを判定する。ステップＳＴ１４０３において受信したパケットが無線管理パケットである時に、図１５のステップＳＴ１５０１に行く。また、ステップＳＴ１４０３において受信したパケットが無線管理パケットでない時に、パケットの宛先が自移動局であるから、ステップＳＴ１４０４においてパケット転送先判定部１２０９がパケット転送先判定処理を行う。
【００７８】
ステップＳＴ１４０３において受信したパケットが無線管理パケットである時に、図１５のステップＳＴ１５０１において、無線管理パケット処理部１２０４は、接続基地局ＩＤを含む無線管理情報を取得する。次に、ステップＳＴ１５０２において、無線管理パケット処理部１２０４は、接続基地局管理部１２０３で保持している現接続基地局ＩＤと取得した無線管理情報の接続基地局ＩＤとを比較して比較結果を生成する。
【００７９】
ステップＳＴ１５０２において接続基地局管理部１２０３で保持している現接続基地局ＩＤと取得した無線管理情報の接続基地局ＩＤとが同じであることを比較結果が示している場合には、動作が終了される。
【００８０】
ステップＳＴ１５０２において接続基地局管理部１２０３で保持している現接続基地局ＩＤと取得した無線管理情報の接続基地局ＩＤとが異なることを比較結果が示している場合には、ステップＳＴ１５０３において、無線管理パケット処理部１２０４は、接続基地局管理部１２０３で保持している現接続基地局ＩＤを新しく取得した接続基地局ＩＤに置き換え、かつ、位置情報パケットの作成指示を位置情報パケット作成部１２０７に与える。
【００８１】
次に、ステップＳＴ１５０４において、位置情報パケット作成部１２０７は、接続基地局管理部１２０３から現接続基地局ＩＤを取得し、移動方向管理部１２０５から移動方向情報を取得し、統制局情報管理部１２０６から統制局１０３のアドレスを取得し、かつ、これらの情報に基づいて位置情報パケットを作成する。位置情報パケット作成部１２０７は、位置情報パケットをパケット転送先判定部１２０９に与える。
【００８２】
次に、ステップＳＴ１５０５において、パケット転送先判定部１２０９は、位置情報パケット作成部１２０７からの位置情報パケットを無線データ送信部１２１０を介して送信する。
【００８３】
次に、本発明の実施の形態２に係るモバイル通信システム２００の移動局１０１における始動時の処理について、図１２、１３と共に図１６を参照して説明する。
【００８４】
図１６に示すように、ステップＳＴ１６０１において、移動局１０１は、起動し、パケットを受信可能な状態となったか否かを判断する。ステップＳＴ１６０１においてパケットを受信可能な状態となった時に、移動局１０１は、無線管理パケットの受信待ち処理を行う（ステップＳＴ１６０２）。
【００８５】
その後に、前述のように、ステップＳＴ１６０３において、移動局１０１は、無線管理パケットの受信処理を行う。次に、ステップＳＴ１６０４において、移動局１０１は、無線管理パケット処理を行い、ステップＳＴ１６０５において、移動局１０１は、位置情報パケットの作成処理を行う。次に、ステップＳＴ１６０６において、移動局１０１は、パケット転送判定の処理を行う。
【００８６】
次に、本発明の実施の形態２に係るモバイル通信システム２００の移動局１０１における方向転換時の処理について、図１２、１３と共に図１７を参照して説明する。
【００８７】
図１７に示すように、ステップＳＴ１７０１において、移動方向検知部１３０１は、移動局の移動方向が反転したことを検知して移動方向情報を生成して移動方向記憶部１３０２に記憶させる。次に、ステップＳＴ１７０２において、移動方向検知部１３０１は、位置情報パケットの作成指示を位置情報パケット作成部１２０７に与える。
【００８８】
次に、ステップＳＴ１７０３において、位置情報パケット作成部１２０７は、接続基地局管理部１２０３から現接続基地局ＩＤを取得し、移動方向管理部１２０５から移動方向情報を取得し、統制局情報管理部１２０６から統制局１０３のアドレスを取得し、かつ、これらの情報に基づいて位置情報パケットを作成する。位置情報パケット作成部１２０７は、位置情報パケットをパケット転送先判定部１２０９に与える。
【００８９】
次に、ステップＳＴ１７０４において、パケット転送先判定部１２０９は、位置情報パケット作成部１２０７からの位置情報パケットを無線データ送信部１２１０を介して送信する。
【００９０】
移動局１０１が、経路の端点（始点又は終点）の無線エリアに入って来た場合の位置登録処理は、特別の処理が必要となる。
【００９１】
具体的には、図１８に示すように、基地局ＩＤ（１）の配下における移動方向「−」の状態と、基地局（ＭＡＸ）の配下における移動方向「＋」の状態において、特別な位置登録処理が必要となる。
【００９２】
移動局１０１が、経路の端点に向かって移動してきた場合には、端点の次に切り替わるべき無線基地局が存在しない。したがって、統制局１０３は、現接続基地局に加えて、次接続基地局にも、移動局１０１宛のパケットのコピーを送信することができない。そのためこの状態では、統制局１０３は現接続基地局のみの１経路にパケットを送信する特別処理を行う。
【００９３】
次に、本発明の実施の形態２に係るモバイル通信システム２００の統制局１０３における移動局１０１が経路の両端に位置した時の特別処理について、図１２、１３と共に図１９、２０を参照して説明する。
【００９４】
図１９に示すように、ステップＳＴ１９０１において、統制局１０３は、移動局ＩＤ、接続基地局ＩＤ及び移動方向情報を含む位置登録制御情報を取得する。次に、ステップＳＴ１９０２において、統制局１０３は、取得した移動方向情報をチェックする。
【００９５】
ステップＳＴ１９０２において移動方向が「＋」であることを移動方向情報が示している時には、ステップＳＴ１９０３において統制局１０３は転送先基地局ＩＤを導出してステップＳＴ１９０４に進む。ステップＳＴ１９０２において移動方向が「−」であることを移動方向情報が示している時には、ステップＳＴ１９０５において統制局は転送先基地局ＩＤを導出してステップＳＴ１９０４に進む。
【００９６】
次に、ステップＳＴ１９０４において統制局１０３は端点特別処理を行った後に、ステップＳＴ１９０６において統制局１０３は転送テーブル１０３２の更新を行う。この時に、統制局１０３は、導出した転送先基地局のＩＤに対する経路情報（ＭＰＬＳラベル）を基地局管理テーブル１０３２より取得し、転送テーブル１０３２の制御パケットを送信した移動局１０１に対するエントリに転送先基地局に対応するＭＰＬＳラベル値を書き込む。
【００９７】
次に、本発明の実施の形態２に係るモバイル通信システム２００の統制局１０３における移動局１０１が経路の両端に位置した時の特別処理における端点特別処理（図１９のステップＳＴ１９０４）について、図１２、１３と共に図２０を参照して説明する。
【００９８】
図２０に示すように、ステップＳＴ２００１において、統制局１０３は、新しく導出された２つの転送先基地局の値を読み出し、転送先基地局が端点を越えているのかをチェックしてチェック結果を生成する（ステップＳＴ２００２）。
【００９９】
ステップＳＴ２００２において転送先基地局が端点を越えていることをチェック結果が示している場合には、統制局１０３は、転送テーブル１０３２における転送先基地局の情報の更新を行って（ステップＳＴ２００３）動作を終了する。また、ステップＳＴ２００２において転送先基地局が端点を越えていないことをチェック結果が示している場合には、統制局は、そのまま動作を終了する。
【０１００】
このように、本発明の実施の形態２は、本発明の実施の形態１と同じ効果を有している。
【０１０１】
（実施の形態３）
次に、本発明の実施の形態３について、図面を参照して詳細に説明する。
【０１０２】
図２１は、本発明の実施の形態３に係るモバイル通信システムの構成を示す図である。図２２は、本発明の実施の形態３に係るモバイル通信システムの構成を示す他の図である。本発明の実施の形態３においては、本発明の実施の形態１と同じ構成要素には同じ参照符号が付されてその説明が省略される。
【０１０３】
図２１に示すように、本発明の実施の形態３に係るモバイル通信システム２１００は、複数の移動局２１０１と、複数の移動局２１０１と通信を行う複数の基地局１０２Ａ〜１０２Ｄと、統制局２１０２と、複数の基地局１０２Ａ〜１０２Ｄと統制局２１０２との通信の制御を行う移動制御ネットワーク１０４と、統制局２１０２と通信を行う外部ネットワーク１０５と、を具備している。
【０１０４】
図２１においては、１つの移動局２１０１のみが示されている。また、移動局２１０１の各々は、所定の時間において所定方向へ移動するものである。複数の移動局２１０１の各々は、データ通信部１０１１、位置登録制御情報送信部１０１２、無線エリア検知部２１０１１及び同報指示信号通知部２１０１２を具備している。
【０１０５】
データ通信部１０１１及び位置登録制御情報送信部１０１２は、移動局２１０１の最後部に配置されている。データ通信部１０１１及び位置登録制御情報送信部１０１２は、移動局２１０１の後部に配置されていればよい。無線エリア検知部２１０１１は、移動局２１０１の先頭部に配置されている。無線エリア検知部２１０１１は、移動局２１０１の前部に配置されていればよい。同報指示信号通知部２１０１２は、移動局２１０１の最後部に配置されている。同報指示信号通知部２１０１２は、移動局２１０１の後部に配置されていればよい。
【０１０６】
位置登録制御情報送信部１０１２は、自己の識別情報と接続基地局情報と移動方向情報を含む位置登録制御情報をデータ通信部１０１１を介して統制局２１０２に送信する。無線エリア検知部２１０１１は、自己が位置する無線エリアの情報である接続基地局情報を検知し、１つの無線エリアから他も無線エリアに移動した時に隣接エリア移動信号を生成して同報指示信号通知部２１０１２に与える。同報指示信号通知部２１０１２は、無線エリア検知部２１０１１から隣接エリア移動信号を受けた時に同報指示信号をデータ通信部１０１１を介して統制局２１０２に送信する。
【０１０７】
統制局２１０２は、基地局検出部１０３１、転送テーブル１０３２及びパケット同報部２１０２１を具備している。基地局検出部１０３１は、移動局２１０１からの位置登録制御情報に基づいて当該移動局２１０１が現在位置している第１の無線エリア（図１において無線エリアＢ）に隣接する当該移動局２１０１の移動方向側の第２の無線エリア（図１において無線エリアＣ）に係る第２の基地局（図１において基地局１０２Ｃ）を検出して隣接基地局情報を生成して転送先基地局情報として転送テーブル１０３２に与える。
【０１０８】
転送テーブル１０３２は、宛先としての移動局情報の各々と、移動局情報の各々と対応している転送先基地局情報を具備している（図１参照）。転送先基地局情報は、複数の移動局２１０１の各々から受信する位置登録制御情報の接続基地局情報から得られ、また、基地局検出部１０３１から受ける。
【０１０９】
パケット同報部２１０２１は、同報指示信号通知部２１０１２からの同報指示信号を受けた時点から位置登録制御情報送信部１０１２が無線エリア検知部２１０１１と同じ無線エリアに移動する時点までの同報時間において隣接基地局情報に基づいて位置登録制御情報送信部１０１１が位置する無線エリアの基地局と無線エリア検知部２１０１１が位置する無線エリアの基地局にパケットを送信（同報）する。
【０１１０】
例えば、図２２に示すように、パケット同報部２１０２１は、転送テーブル１０３２の転送先基地局情報に基づいて、前記同報時間において移動局２１０１に送信するパケットを前記第１の無線エリアに係る第１の基地局（図２２において基地局１０２Ｂ）に経路１０４Ｂを介して送信し、かつ、隣接基地局情報に基づいて第２の前記基地局（図２２において基地局１０２Ｃ）に経路１０４Ｃを介して送信する。
【０１１１】
また、パケット同報部２１０２１は、前記同報時間以外の時間において位置登録制御情報送信部１０１２が位置する無線エリアの基地局のみにパケットを送信する。
【０１１２】
なお、基地局検出部１０３１は、移動局２１０１からの位置登録制御情報に基づいて隣接基地局情報を生成して転送先基地局情報としてパケット同報部２１０２１に与え、かつ、パケット同報部２１０２１は、前記同報時間のみ位置登録制御情報の隣接基地局情報及び転送先基地局情報に基づいて前記第１の基地局及び前記第２の基地局にパケットを送信するように構成してもよい。
【０１１３】
次に、本発明の実施の形態３に係るモバイル通信システムにおけるパケットの送信の切替動作について、図２１、２２と共に図２３、２４を参照して具体的に説明する。
【０１１４】
実施の形態３における移動局２１０１は、データ通信部１０１１、位置登録制御情報送信部１０１２、無線エリア検知部及２１０１１及び同報指示信号通知部２１０１２を有している。
【０１１５】
無線エリア検知部２１０１１と同報指示信号通知部２１０１２とは、既存のプロトコルで接続される。無線エリア検知部２１０１１からの無線エリア情報を同報指示信号通知部２１０１２が取得できさえすれば、どのようなプロトコル（例えばＵＤＰ／ＩＰなど）で両者を接続しても良い。また、データ通信部１０１１及び同報指示信号通知部２１０１２と統制局２１０２とは、既存のプロトコルで接続される。
【０１１６】
移動局２１０１が図２３の状態に入る前においては、移動局２１０１は、無線エリアＢに配置されている。外部ネットワーク１０５とは、統制局２１０２から経路１０４Ｂ及び基地局１０２Ｂを経てＩＰ通信を行っている。移動局２１０１には、この一つの経路経由でしかパケットが転送されない。
【０１１７】
移動局２１０１は、ＩＰ通信を継続しながら、無線エリアＢから無線エリアＣに移動する。まず、移動局２１０１の先頭部にある無線エリア検知部２１０１１が最初に無線エリアＣに入る。この状態が図２３に示されている。
【０１１８】
無線エリアＣに入った移動局２１０１の無線エリア検知部２１０１１は、無線エリアＣに移動したことを無線エリアＣからのビーコン信号又は基地局１０２Ｃからの広告パケット受信などにより検知する。移動局２１０１は、最後部にあるデータ通信部１０１１を使ってパケット通信を行うため、基地局１０４Ｂを介して転送されたパケットを受信可能なため、通信を継続させる。
【０１１９】
無線エリアＣへの移動を検知した移動局１２０１の無線エリア検知部２１０１１は、隣接エリア移動信号を移動局２１０１の同報指示信号通知部２１０１２にＵＤＰ／ＩＰ通信などを用いて伝達する。この時に、移動局２１０１は、基地局１０２Ｂを経由して通信を継続している。
【０１２０】
隣接エリア移動信号を受け取った同報指示信号通知部２１０１２は、同報指示信号を生成して統制局２１０２に送信する。この時に、移動局２１０１は、基地局１０２Ｂを経由して通信を継続している。
【０１２１】
移動局２１０１の同報指示信号通知部２１０１２からの同報指示信号を受信した統制局２１０２は、移動局２１０１宛のパケットの転送先を、経路１０４Ｂ（現在通信中の経路）と経路１０４Ｃ（移動局２１０１が次に移動すると予想される経路）へ更新する。すなわち、統制局２１０２は、基地局１０２Ｂ及び基地局１０２Ｃに移動局２１０１宛のパケット（同じパケット）を送信する。
【０１２２】
移動局２１０１のデータ通信部１０１１は、パケットロスなしで（通信断なしで）無線エリアＣへの移動が可能となる。移動局２１０１は、基地局１０４Ｃを経由して通信を継続する。
【０１２３】
移動局２１０１のデータ通信部１０１１及び位置登録制御情報送信部１０１２が、無線エリアＣに入った状態が図２４に示されている。図２４では、移動局２１０１が完全に無線エリアＣに入っている。移動局２１０１のデータ通信部１０１１が、無線エリアＣのビーコン信号を受け取ると、データ通信部１０１１が位置情報パケット（終了パケット）を生成して統制局２１０２に送信する。この時に、移動局２１０１は、基地局１０２Ｃを経由して通信を継続している。
【０１２４】
移動局２１０１のデータ通信部１０１１からの位置情報パケット（終了パケット）を受信した統制局２１０２は、移動局２１０１宛のパケットの転送先を、経路１０４Ｃのみへ更新する。この時に、移動局２１０１は、基地局１０２Ｃを経由して通信を継続している。
【０１２５】
次に、本発明の実施の形態３に係るモバイル通信システムの移動局における無線エリア検知部の構成について、図２５を参照して詳細に説明する。
【０１２６】
図２５に示すように、無線エリア検知部２１０１１は、無線データ受信部２５０１、無線管理パケット抽出部２５０２、接続基地局管理部２５０３、無線管理パケット処理部２５０４及び検知部データ送信部２５０５を具備している。
【０１２７】
無線データ受信部２５０１は、無線で送られてくるパケットを受信して無線管理パケット抽出部２５０２に与える。無線管理パケット抽出部２５０２は、無線データ受信部２５０１からのパケットから無線管理パケットを抽出して無線管理パケット処理部２５０４に与える。
【０１２８】
接続基地局管理部２５０３は、移動局２１０１が現在接続している接続無線基地局情報（ＥＳＳ−ＩＤなど）を記憶する。無線管理パケット処理部２５０４は、接続基地局管理部２５０３の情報に基づいて、無線管理パケット抽出部２５０２からの無線管理パケットの接続基地局情報と接続基地局管理部２５０３の接続無線基地局情報とが異なるか否かを判断して判断結果を生成する。
【０１２９】
無線管理パケット処理部２５０４は、無線管理パケット抽出部２５０２からの無線管理パケットの接続基地局情報と接続基地局管理部２５０３の接続無線基地局情報とが異なることを判断結果が示している時に隣接エリア移動信号を生成して検知部データ送信部２５０５に与える。検知部データ送信部２５０５は、隣接エリア移動信号を受けた時にデータ通信部を介して統計局に送信する。
【０１３０】
このように、本発明の実施の形態３においては、本発明の実施の形態１の効果に加えて、統制局は同報指示信号通知部２１０１２からの同報指示信号を受けた時点から位置登録制御情報送信部１０１２が無線エリア検知部２１０１１と同じ無線エリアに移動する時点までの同報時間において隣接基地局情報に基づいて位置登録制御情報送信部１０１２が位置する無線エリアの基地局と無線エリア検知部２１０１１が位置する無線エリアの基地局にパケットを送信（同報）するため、統制局と基地局との間の通信量を最小限とすることができる。
【産業上の利用可能性】
【０１３１】
本発明は、移動局が１つの無線エリアから隣接の無線エリアに移動する時に、通信断が生じるのを防止することができる効果を有し、モバイル通信システム、統制局及び移動局に有用である。
【図面の簡単な説明】
【０１３２】
【図１】本発明の実施の形態１に係るモバイル通信システムの構成を示す図
【図２】本発明の実施の形態２に係るモバイル通信システムの構成を示す図
【図３】本発明の実施の形態２に係るモバイル通信システムにおけるプロトコルスタックを示す図
【図４】本発明の実施の形態２に係るモバイル通信システムにおける移動局から統制局へ送信される位置登録パケットを説明するための図
【図５】本発明の実施の形態２に係るモバイル通信システムの統制局の構成を示すブロック図
【図６】本発明の実施の形態２に係るモバイル通信システムの統制局の転送テーブルを示す図
【図７】本発明の実施の形態２に係るモバイル通信システムにおける統制局の基地局管理テーブルを示す図
【図８】本発明の実施の形態２に係るモバイル通信システムにおける統制局の基地局管理テーブルの基地局ＩＤと実際の基地局とを対応付ける１例を示す図
【図９】本発明の実施の形態２に係るモバイル通信システムの統制局の動作の１部を説明するためのフロー図
【図１０】本発明の実施の形態２に係るモバイル通信システムの統制局の動作の他の１部を説明するためのフロー図
【図１１】本発明の実施の形態２に係るモバイル通信システムの統制局の動作のさらに他の１部を説明するためのフロー図
【図１２】本発明の実施の形態２に係るモバイル通信システムの移動局の構成を示すブロック図
【図１３】本発明の実施の形態２に係るモバイル通信システムにおける移動局の移動方向管理部の構成を示すブロック図
【図１４】本発明の実施の形態２に係るモバイル通信システムの移動局の動作の１部を説明するためのフロー図
【図１５】本発明の実施の形態２に係るモバイル通信システムの移動局の動作の他の１部を説明するためのフロー図
【図１６】本発明の実施の形態２に係るモバイル通信システムの移動局の動作のさらに他の１部を説明するためのフロー図
【図１７】本発明の実施の形態２に係るモバイル通信システムの移動局の動作のさらに他の１部を説明するためのフロー図
【図１８】本発明の実施の形態２に係るモバイル通信システムの移動局の動作のさらに他の１部を説明するための図
【図１９】本発明の実施の形態２に係るモバイル通信システムの統制局の動作のさらに他の１部を説明するためのフロー図
【図２０】本発明の実施の形態２に係るモバイル通信システムの統制局の動作のさらに他の１部を説明するためのフロー図
【図２１】本発明の実施の形態３に係るモバイル通信システムの構成を示す図
【図２２】本発明の実施の形態３に係るモバイル通信システムの構成を示す他の図
【図２３】本発明の実施の形態３に係るモバイル通信システムの動作を説明するための図
【図２４】本発明の実施の形態３に係るモバイル通信システムの動作を説明するための他の図
【図２５】本発明の実施の形態３に係るモバイル通信システムにおける移動局の無線エリア検知部の構成を示すブロック図
【図２６】従来のモバイル通信システムの構成を示す図
【符号の説明】
【０１３３】
１００、２００、２１００  モバイル通信システム
１０１、２１０１  移動局
１０２Ａ〜１０２Ｄ  基地局
１０３、２１０２  統制局
１０４  移動制御ネットワーク
１０５  外部ネットワーク
１０１１  データ通信部
１０１２  位置登録制御情報送信部
１０３１  基地局検出部
１０３２  転送テーブル
１０３３、２１０２１  パケット同報部
２０１  ＥｏＭＰＬＳネットワーク
２１０１１  無線エリア検知部
２１０１２  同報指示信号通知部
【図１】
2006109182.tif 000003
【図２】
2006109182.tif 000004
【図３】
2006109182.tif 000005
【図４】
2006109182.tif 000006
【図５】
2006109182.tif 000007
【図６】
2006109182.tif 000008
【図７】
2006109182.tif 000009
【図８】
2006109182.tif 000010
【図９】
2006109182.tif 000011
【図１０】
2006109182.tif 000012
【図１１】
2006109182.tif 000013
【図１２】
2006109182.tif 000014
【図１３】
2006109182.tif 000015
【図１４】
2006109182.tif 000016
【図１５】
2006109182.tif 000017
【図１６】
2006109182.tif 000018
【図１７】
2006109182.tif 000019
【図１８】
2006109182.tif 000020
【図１９】
2006109182.tif 000021
【図２０】
2006109182.tif 000022
【図２１】
2006109182.tif 000023
【図２２】
2006109182.tif 000024
【図２３】
2006109182.tif 000025
【図２４】
2006109182.tif 000026
【図２５】
2006109182.tif 000027
【図２６】
2006109182.tif 000028